(57)【特許請求の範囲】
【請求項１】
表面フレームと裏面フレームとを接合してなるケーシングの内部に収めた駆動ローラおよび従動ローラ間にシート部材が掛け渡され、表面フレームの書込窓から臨むシート部材の一部を情報を書込むための書込面として備え、前記シート部材を送出手段で送出して別の書込面を書込窓に繰り出させるとともに、前記書込面に書込まれた情報を消去手段で消去する書込装置において、
予め設定した所定の設定時間が経過すると、前記消去手段が作動し、前記シート部材の書込面に対して消去動作を行うように構成し、
書込窓から退場している前記シート部材の書込面に情報が書込まれてある場合にのみ、前記設定時間が経過すると、消去手段が作動するように構成したことを特徴とする書込装置。
【請求項２】
前記消去手段が作動する前には、前記設定時間が変更可能であることを特徴とする請求項１に記載の書込装置。
【請求項３】
前記消去手段が作動する前であれば、前記書込面の消去動作がキャンセル可能であることを特徴とする請求項１または２に記載の書込装置。
【請求項４】
既に書き込まれているシート部材の書込面を書込窓内から退場させるところから、前記設定時間のカウントを開始することを特徴とする請求項１または２に記載の書込装置。
【発明の詳細な説明】
【０００１】
【発明の属する技術分野】
この発明は、電子黒板装置などの書込面を備えたスタンド支持タイプ、壁掛けタイプ、机上タイプなどの書込装置に係り、特にこの書込面に書込んだ情報を自動的に消去することができる書込装置に関するものである。
【０００２】
【従来の技術】
周知のように、会議、研修会、説明会などでは、各種の情報を書込んで説明したり確認するために、例えば、ホワイトボードなどがしばしば使用されている。さらに、このホワイトボード以外にも、例えば、繰出し可能なシート部材の書込面に書込まれた情報を読取り、これを記録紙にプリントすることができる電子黒板装置も各種開発されている。
【０００３】
このようなホワイトボードや電子黒板装置では、通常、黒板消しなどの消去具を使用し、使用者が自分の手で書込んだ情報を消去している。
【０００４】
【発明が解決しようとする課題】
ところで、例えば、ホワイトボードでは、ケーシング表面に書込面が固定されており、常時、この書込面がケーシング表面から露出しているから、たとえ書込情報の消し忘れがあっても、これを目で確認して消去できる。従って、この書込面に書込んだ情報を消し忘れてしまい、それがそのまま放置されて、知られたくない情報を他人に見られてしまう、といった虞れは少ない。
【０００５】
一方、電子黒板装置では、書込面に情報を書込んだのち、この情報を消さずに放置したまま、別の新しい書込面をケーシング表面に設けた書込窓に繰り出してきて、次の情報を書込むようなことがよくある。この場合には、元の書込面が書込窓から退場して隠れてしまい、書込窓からその書込情報が見えなくなるので、消し忘れてそのまま放置してしまう場合がある。
【０００６】
この場合、次に、他人がこの電子黒板装置を会議などで使用するときには、例えば、書込面一杯に情報が書込まれると、次に書込むスペースがないので、別の書込面を繰り出してきてそこに書込むこととなる。ところが、このとき繰出してきた書込面に前の使用者が書込んでいた情報が残っていて、その情報を見られてしまったり、会議の説明の途中で、説明を中断してその消し忘れていた情報を消去しなければならない、といった事態を生じている。
【０００７】
そこで、この請求項１に記載の発明は、上記した事情に鑑み、書込面に書込まれていた書込情報を使用者が消し忘れていても、その書込情報を自動的に消去してくれることを目的とするものである。
【０００８】
さらに、書込窓から退場して見えない書込面に情報が書込まれている場合にのみ、その情報を消去することができるようにして、情報の書込みがない場合には、消去動作を行わないことを目的とするものである。
【０００９】
さらに、各使用者による書込装置の使用状況によっては、例えば、会議や説明会などにおいて、書込面に情報が一杯に書込まれた後にさらに情報書込を行いたいので、あるいはその書込面が一杯でなくともその書込情報とは全く別の情報を別に書込みたいので、別の書込面を繰出してそこに情報の書込を行うようなときに、元の書込面に記載した情報を頻繁に見返して参照したり、それを開催時間の終了間際まで見返して参照する、などと行ったケースが考えられる。
【００１０】
そこで、請求項２に記載の発明は、書込情報を書込んだ書込面を書込窓から退場させた後に、その情報を見返したいときにはもう既に消去された後であった、というような事態が発生するのを防止することを目的とするものである。
【００１１】
さらに請求項３に記載の発明は、書込窓から退場して見えない書込面に書込んである情報を、時間的な制約を設けずに、いつでも自由に見返すことができることを目的とするものである。
【００１２】
請求項４に記載の発明は、現在、書込中の書込面に書込むスペースがなくなったところで、以前に使用し、情報を書込んだまま消し忘れていた次の書込面を繰出してきたときに、きれいに書込情報が消去されていることを目的とするものである。
【００１３】
【課題を解決するための手段】
このため、この請求項１の発明は、表面フレームと裏面フレームとを接合してなるケーシングの内部に収めた駆動ローラおよび従動ローラ間にシート部材が掛け渡され、表面フレームの書込窓から臨むシート部材の一部を情報を書込むための書込面として備え、前記シート部材を送出手段で送出して別の書込面を書込窓に繰り出させるとともに、前記書込面に書込まれた情報を消去手段で消去する書込装置において、
予め設定した所定の設定時間が経過すると、前記消去手段が作動し、前記シート部材の書込面に対して消去動作を行うように構成し、
書込窓から退場している前記シート部材の書込面に情報が書込まれてある場合にのみ、前記設定時間が経過すると、消去手段が作動するように構成したものである。
【００１５】
請求項２に記載の発明は、請求項１に記載の発明において、前記消去手段が作動する前には、前記設定時間が変更可能であるものである。
【００１６】
請求項３に記載の発明は、請求項１または２に記載の発明において、前記消去手段が作動する前であれば、前記書込面の消去動作がキャンセル可能であるものである。
【００１７】
請求項４に記載の発明は、請求項１または２に記載の発明において、既に書き込まれているシート部材の一面を書込窓内から退場させるところから、前記設定時間のカウントを開始するものである。
【００１８】
【発明の実施の形態】
以下この発明について添付図面を参照しながら説明する。
図１ないし図３は、この発明の書込装置に係る電子黒板装置を示すものである。この電子黒板装置は、ケーシング１と、このケーシング１の表面に設けた書込窓Ｗへシート部材２０の書込面を繰り出す送出手段となる送出部２と、この書込面に記載された情報を読取る読取部３と、この読取部３で読取った情報を記録紙に記録するプリント部４と、書込窓Ｗから退場した書込面に書込まれていた情報を消去する消去手段となる消去部５と、これらを制御する制御部６と、操作部７とを備えている。
【００１９】
ケーシング１は、脚１０の上部に取付けた裏面フレーム１Ａと、この裏面フレーム１Ａに組付けて接合した表面フレーム１Ｂとから構成されており、内部にシート部材２０が収容されている。
【００２０】
送出部２には、シート部材２０を掛け渡した駆動ローラ２１および従動ローラ２２を備えている。駆動ローラ２１にはこれを駆動する図示外の駆動モータを備えており、制御部６の制御で作動する。一方、従動ローラ２２には図示外のシートテンション機構が配設されている。
【００２１】
なお、この例では、シート部材２０が、書込窓Ｗに繰り出されて書込面となる「一方の面」と、これとは１８０度位相を違えた「他方の面」（以下、これを「反対面」とよぶ）との２つの書込面を設けているが、この書込面は２つ以外でも良い。例えば図４に示すように、シート部材２０が、駆動ローラ２１および従動ローラ２２、２２Ａ、２２Ｂの間に掛け渡され、書込面となる面が４つであってもよい。この場合には、「反対面」は、書込窓Ｗに繰出された書込面以外の３面のいずれかであってもよいが、消去部の設置スペースを考慮すると、最奥部が好ましい。
【００２２】
読取部３は、必要に応じて書込情報をプリントさせる際に作動し、その書込情報が書込まれた書込面を書込窓Ｗから退場させながら、これを光学的に読取るものである。この例の読取部３は、従来のものと同様に、図２（図４タイプでも同様）に示すように、光源３１と、この光源３１から出射し、シート部材２０で反射した光を所定の方向に反射させるミラー３２と、このミラー３２で反射した光を透過するレンズ３３と、このレンズ３３からの光が結像するとその像に応じて光電変換を行い画像信号を得るＣＣＤ（電荷結合素子）３４とを備えており、制御部６の制御で作動する。
【００２３】
プリント部４は、従来のものと同様であり、読取部３で読取った書込情報を、制御部６からの制御によって記録紙にプリントするものである。
【００２４】
消去部５は、この例では、予め操作部７で設定された時間（以下、設定時間とよぶ）が経過すると、制御部６からの制御で作動し、書込窓Ｗから退場しケーシング１内部に移動してきて待機していた元の書込面上の書込情報を消去するものである。
【００２５】
この例の消去部５は、例えば図５に示すように、ケーシング１内部の左右両側にある駆動ローラ２１および従動ローラ２２の近傍において、上下方向に沿ってそれぞれ設けた駆動軸５４Ａおよびガイド軸５４Ｂと、これらの駆動軸５４Ａおよびガイド軸５４Ｂに移動可能に取付けた保持部材５２と、この保持部材５２に取付けた消去部材５１とを備えている。
【００２６】
駆動軸５４Ａは、下端部側がケーシング１内の床面に固設したモータ５３に接続されこのモータ３５によって駆動回転するようになっており、駆動軸５４Ａの外周面には雄ねじが切られている。この駆動軸５４Ａの上端部は図示外の軸受けを介してケーシング１内の天井側に取付けられている。一方、ガイド軸５４Ｂは、外周面が平滑な棒状のものからなり、下端部および上端部がそれぞれケーシング１内の床側と天井側とに取付けられている。
【００２７】
保持部材５２は、ケーシング１内の左右両側にある駆動軸５４Ａとガイド軸５４Ｂとの間に掛け渡された長尺物が使用されており、図５（Ｂ）に示すように、この両端部側には駆動軸５４Ａに螺合する雌ねじが切られた螺合孔５２Ａと、ガイド軸５４Ｂが挿通するガイド孔５２Ｂが形成されている。一方、消去部材５１は、ゴムからなり先端面がシート部材２０の「反対面」２０Ｒに接触するようになっている。
【００２８】
なお、普段、書込面上の書込情報を消去しないときには、図５において、実線で示すように最下部まで降下させたところで、待機させておく。これにより、送出部２によるシート部材２０の送り動作の際に、負荷をかけずに済むのと同時に、読取部３による読取り動作の際に邪魔にならぬようになっている。
【００２９】
この消去部としては、書込面が２面タイプおよび４面タイプのいずれの場合であっても、駆動軸やガイド軸を、上下方向でなく、ケーシング内の上部および下部に、それぞれ水平方向に配設したものを使用し、保持部材や消去部材を上下方向に移動させながら書込情報を消去するように構成してもよい。なお、この消去部の保持部材や消去部材の移動手段としては、ワイヤを移動させる方式のものや、無端ベルトを使用する方式でもよい。
【００３０】
さらに、この例の消去部では、ケーシング内部にあって外部からは見えない書込面上の書込情報のみを消去するように構成してあるが、これ以外に、書込窓に臨んで見えている書込面上の書込情報も消去するように構成してもよい。
【００３１】
制御部６は、送出部２、読取部３、プリント部４、消去部５の作動を制御するものであり、操作部７によって操作されている。この例の制御部６は、図６に示すように、ＬＳＩ（大規模集積回路）を用い読取部３で読取とった画像情報を処理するゲートアレイ６１と、ＣＰＵ（中央演算処理装置）６２と、電子黒板装置の作動を制御するプログラムが記憶されたＲＯＭ（リード・オンリ・メモリ）６３と、画像データなどを格納しておくＲＡＭ（ランダム・アクセス・メモリ）６４と、設定時間をカウントするカウンタ６５と、をメイン基板６６上に搭載している。カウンタ６５は、シート部材２０の書込面を書込窓Ｗ内から退場させる動作が始まったときから、設定時間のカウント動作を開始するように構成してあるが、この他に、例えば電源スイッチを切ったところから設定時間をカウントするようにしてもよい。
【００３２】
操作部７には、図示しないが、電源スイッチとプリントスイッチとのほかに、書込み情報の消去動作開始までの時間を設定する設定スイッチと、設定時間を記憶するメモリと、設定時間変更および消去動作キャンセルのための変更取消スイッチとを備えている。プリントスイッチをオンすると、制御部６のＣＰＵ６２がゲートアレイ６１に対してプリント動作の開始を通知して読取部３が作動するとともに、プリント部４が作動する。なお、この例では、、電源スイッチが切られた場合には、消去部５が作動するまでの間、メイン基板６６にのみ電源を供給しておくようになっている。
【００３３】
次に、この例の電子黒板装置によるプリント動作及び情報消去動作について説明する。
操作部７のプリントスイッチをオンすると、初めに送出部２と読取部３とが作動する。すなわち、書込窓Ｗから臨んでいたシート部材２０の書込面がケーシング１の内部へ移動しながら、光源３１が点灯してその書込面に書込まれていた情報に読取光が投光され、このシート部材２０で反射した読取光がミラー３２へ入射する。その後、このミラー３２で反射した読取光は、結像レンズ３３を透過した後、ＣＣＤ３４に結像し、そこで光電変換される。そして、制御部６の制御によってプリント部４が作動し、ＣＣＤ３４から出力される画像情報に応じた画像信号により、プリント部４で書込み情報がプリントされる。
【００３４】
さらに、この電子黒板装置では、予め操作部７の設定スイッチで設定しておいた設定時間に応じ、制御部６による制御で、消去部５が作動し、以下のような書込情報の消去動作が自動的に行われる。
【００３５】
すなわち、制御部６の制御によって、モータ５３が作動し、保持部材５２を介して消去部材５１が上方向に移動し、消去部材５１の先端部分がシート部材２０の「反対面」２０Ｒに接触しながら書込情報を消去していく。
【００３６】
そして、最上部までこれが上昇したところで、制御部６の制御でモータ５３が逆転を始め、下降しながら同様に、書込情報の消去動作を行っていき、最下部に達したところで、モータ５３の作動が停止する。これにより、情報の消去動作が終了する。
【００３７】
次に、この例での書込情報の消去方法について、図７のフローチャートを参照しながら説明する。なお、ここでは、書込面が２面タイプのものを使用し、既に使用者が、シート部材２０の２つの書込面のうち一方の書込面に情報を書込んだのち、次に他方の書込面を繰出してきて、現在、新しい書込面に情報を書込中であるものとする。
【００３８】
第１ステップＳ１では、消去動作の終了フラッグがオンか否かを判断する。そして、消去動作の終了フラッグがオンの場合には、すでに消去動作が終了しているので、何もしないで処理動作を終了する。一方、オフの場合には、第２ステップＳ２へ移行する。
【００３９】
第２ステップＳ２では、現在、消去部５が作動して書込み情報の消去動作中であるか否かを判断する。そして、消去動作中でなければ、第３ステップＳ３へ移行する。一方、消去動作中であれば、第９ステップＳ９へ移行する。
【００４０】
第３ステップＳ３では、設定時間をカウント中のカウンタ６５による「カウント時間」の数字に「１」をプラスする、加算演算処理を行う。
【００４１】
第４ステップＳ４では、設定時間をカウント中のカウンタ６５での「カウント時間」がまだ設定時間に達していない場合には、次の第５ステップへ移行せず、何もしないで処理を終える。ここで、消去動作が作動する前には、操作部７の操作により、設定時間が変更される場合もあるが、この場合には自動的にその変更後の設定時間と、現在の「カウント時間」との比較を行う。一方、その「カウント時間」が設定時間に達した場合には、第５ステップＳ５へ移行する。
【００４２】
第５ステップＳ５では、消去部５での消去動作を開始するのに先立ち、時間カウント中のカウンタ６５の作動をただちに停止して、カウンタ６５の「カウント時間」の数字をゼロにクリアする。
【００４３】
第６ステップＳ６では、さらに、書込情報の消去動作がキャンセルされる設定になっているか否かを判断する。もし、操作部７の変更取消スイッチが操作されてキャンセルに設定されていれば、何もしないで処理を終える。キャンセルが設定されていなければ、そのまま第７ステップＳ７へ移行する。
【００４４】
第７ステップＳ７では、制御部６の制御によって、消去部５への電源供給を開始する。
【００４５】
第８ステップＳ８では、制御部６の制御により、消去部５が作動を開始する。
【００４６】
第９ステップＳ９では、消去部５による消去動作が終了したか否かを判断する。消去動作が終了していれば、第１０ステップＳ１０へ移行する。一方、消去動作が終了してなければ、そのまま消去動作が続行される。
【００４７】
第１０ステップＳ１０では、消去部５による書込情報の消去動作が終了したところで、消去終了フラッグをオンにする。
【００４８】
第１１ステップＳ１１では、全ての電源供給を停止して処理を終える。
【００４９】
なお、この例では、書込窓Ｗから退場した元の書込面上に書込情報があるか否かを検出せずに、設定時間が経過すると、設定時間が変更されたり、キャンセルされない限り、そのまま、書込み情報を消去するように構成したが、特にこれに限らない。例えば、書込窓Ｗから退場してケーシング１内に送出された元の書込面の近傍に、その書込面に書込情報が書込まれてあるか否かを判断するセンサを設けておき、このセンサで書込情報が残っていると判断した場合には、制御部６の制御で消去部５を作動して消去動作を行うように構成してもよい。
【００５０】
【発明の効果】
以上説明してきたように、この発明によれば、書込面に情報を書込み終えて設定時間が経過すると、消去手段が作動し、書込面に書込まれていた情報を消去するようになっており、うっかりして、使用者が書込情報を消去するのを忘れていたとしても、消去手段が自動的に作動して、その書込情報を確実に消去してくれるので、次の使用者がいつも新しい書込面に情報の書込みを行えようになり、気持ち良く使うことができるとともに、元の使用者が消し忘れていた情報を次の使用者に見られてしまうことがなく、書込情報を秘密に保持でき、セキュリティの確保も得られる。
【００５１】
しかも、設定時間になれば、確実に書込情報を消去してくれるから、書込情報を消去することに無駄な時間をさかなくても済むようになり、例えば、説明会などではその説明だけに専心できるとともに、限られた時間を最大限に有効に使えるようになる。
【００５２】
さらに、書込面に情報が書込まれている場合に限り、設定時間が経過すると、消去手段が作動してケ−シング内に隠れて見えない元の書込面上の書込情報を消去するようになっており、書込面に情報の書込みがない場合には、消去動作を行わないので、書込み情報がないのに消去手段が空動作を行うといった無駄な動作が行われなくて済み、消去手段やシート部材の消耗を最小限におさえることができるから、これらの部分の寿命を伸ばすことができ、耐久性が高まるとともに、消費電力の削減にもつながる。
【００５３】
さらに、請求項２に係る発明によれば、消去手段が作動する前には設定時間が変更可能であり、用途に応じて消去開始時間を自由に設定できるので、例えば、使用時間を急に変更して延長するような場合には、それに合わせて設定時間を延長するように変更すれば、予定の設定時間よりも後でも元の書込面上の書込情報が消去されずに済み、書込情報を見返すなどの目的で元の書込面を書込窓に再び戻してきて確認することができるので、ユーザの都合に合わせた使い勝手の良いものが実現できる。
【００５４】
さらに、請求項３に係る発明によれば、消去手段が作動する前であれば、書込面の消去動作がキャンセル可能であるから、例えば、使用時間が当初予定していた時間よりも延び、いつ頃に終わるかの予想が立たない場合でも、それに合わせて消去動作をキャンセルさせることにより、シート部材の別の面に書込んである情報を見返したくても既に消去された後だった、というような悔しい思いをしなくて済む。従って、消された情報をもう一度新たに同様の情報を書き込む、といった無駄な労力を使うことがなくなり、信頼性も高まる。
【００５５】
さらに、請求項４に係る発明によれば、既に書き込まれているシート部材の書込面を書込窓内から退場させるところから、設定時間のカウントを開始するようになっており、以前に使用した書込面に情報を書込んだまま消さずに次の画面を繰出してきても、書込窓からその元の書込面が退場したところからカウントされた設定時間経過後に消去手段が作動してその元の書込面に書込まれていた書込情報を自動的に消去してくれる。従って、設定時間を少なくとも書込面の１画面分の書込時間にあわせておけば、その書込中の書込面に書込むスペースがなくなったところで、以前に使用し、情報を書込んだまま消し忘れていた次の書込面を繰出してきたときには、きれいに書込情報が消去されているようにできる。
【００５６】
これにより、新しく書込面を繰出して情報を書込もうとするときに、元の書込面に書込まれ消し忘れていた書込情報の消去動作を行わなくて済み、消去時間の節約および消去に要する無駄な労力を抑えることができる。
【図面の簡単な説明】
【図１】この発明の書込装置に係る電子黒板装置を示す正面図である。
【図２】その概略断面図である。
【図３】その電気的接続を示す構成ブロック図である。
【図４】その変形例を示す概略断面図である。
【図５】その消去部の動作を示す概略縦断面図である。
【図６】その制御部を示す構成ブロック図である。
【図７】その作用を示すフローチャートである。
【符号の説明】
１      ケーシング
１Ａ    裏面フレーム
１Ｂ    表面フレーム
１０    脚
２      送出部
２０    シート部材
２１    駆動ローラ
２２    従動ローラ
３      読取部
４      プリント部
５      消去部
５１    保持部材
５２    消去部材
５２Ａ  螺合孔
５２Ｂ  ガイド孔
５３    モータ
５４Ａ  駆動軸
５４Ｂ  ガイド軸
６      制御部
６２    ＣＰＵ
６４    ＲＡＭ
６５    カウンタ
７      操作部
Ｒ      反対面
Ｗ      書込窓
【図１】
0004346181.tif 000002
【図２】
0004346181.tif 000003
【図３】
0004346181.tif 000004
【図４】
0004346181.tif 000005
【図５】
0004346181.tif 000006
【図６】
0004346181.tif 000007
【図７】
0004346181.tif 000008